【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
被写体を撮影する撮影手段と、
前記被写体の動きを検知する動き検知手段と、
前記撮影手段によって得られた映像データを外部に送信する送信手段と、
前記動き検知手段によって被写体の動きが検知された場合、前記送信手段によって送信される映像データのフレームレートを前記被写体の動きが検知されていないときよりも高くするフレームレート制御手段と、
前記送信手段による映像データの送信が失敗した場合、当該失敗した映像データを保存する保存手段と、
前記保存手段によって保存された映像データが予め定められた閾値以上となった場合、被写体の動き検知がされにくくなるように前記動き検知手段の設定値を変更する設定手段と、
を有することを特徴とする撮像装置。
【請求項２】
被写体を撮影する撮影手段と、
前記撮影手段によって得られた映像データを外部に送信する送信手段と、
前記送信手段によって送信される映像データのフレームレートを変化させるフレームレート制御手段と、
前記送信手段による映像データの送信が失敗した場合、前記フレームレート制御手段によって当該失敗した映像データのフレームレートよりも低いフレームレートの映像データを送信する際に当該失敗した映像データを再送信する通信制御手段と、
を有することを特徴とする撮像装置。
【請求項３】
被写体を撮影する撮影手段と、
前記撮影手段から得られた映像から被写体の動きを検知する動き検知手段と、
前記動き検知手段が動きを検知したことを示すイベント数のばらつきが低減されるように前記動き検出手段の設定値を変更する設定手段と、
を有することを特徴とする撮像装置。
【請求項４】
被写体を撮影する撮影ステップと、
前記被写体の動きを検知する動き検知ステップと、
前記撮影ステップにおいて得られた映像データを外部に送信する送信ステップと、
前記動き検知ステップにおいて被写体の動きが検知された場合、前記送信ステップにおいて送信される映像データのフレームレートを前記被写体の動きが検知されていないときよりも高くするフレームレート制御ステップと、
前記送信ステップにおいて映像データの送信が失敗した場合、当該失敗した映像データを保存する保存手段によって保存された映像データが予め定められた閾値以上となった場合、被写体の動き検知がされにくくなるように前記動き検知ステップにおける動き検知の設定値を変更する設定ステップと、
を有することを特徴とする撮像装置の制御方法。
【請求項５】
被写体を撮影する撮影ステップと、
前記撮影ステップにおいて得られた映像データを外部に送信する送信ステップと、
前記撮影ステップにおいて得られた映像データのフレームレートを変化させるフレームレート制御ステップと、
前記送信ステップにおいて映像データの送信が失敗した場合、当該失敗した映像データを保存した後、外部に送信される映像データのフレームレートを制御するフレームレート制御手段により、当該失敗した映像データのフレームレートよりも低いフレームレートの映像データを送信する際に当該失敗した映像データを再送信する通信制御ステップと、
を有することを特徴とする撮像装置の制御方法。
【請求項６】
被写体を撮影する撮影ステップと、
前記撮影ステップにおいて得られた映像から被写体の動きを検知する動き検知ステップと、
前記動き検知ステップにおいて被写体の動きを検知したことを示すイベント数のばらつきが低減されるように前記動き検知ステップにおける動き検知の設定値を変更する設定ステップと、
を有することを特徴とする撮像装置の制御方法。
【請求項７】
コンピュータに、
被写体を撮影する撮影ステップと、
前記被写体の動きを検知する動き検知ステップと、
前記撮影ステップにおいて得られた映像データを外部に送信する送信ステップと、
前記動き検知ステップにおいて被写体の動きが検知された場合、前記送信ステップにおいて送信される映像データのフレームレートを前記被写体の動きが検知されていないときよりも高くするフレームレート制御ステップと、
前記送信ステップにおいて映像データの送信が失敗した場合、当該失敗した映像データを保存する保存手段によって保存された映像データが予め定められた閾値以上となった場合、被写体の動き検知がされにくくなるように前記動き検知ステップにおける動き検知の設定値を変更する設定ステップと、
を実行させることを特徴とするプログラム。
【請求項８】
コンピュータに、
被写体を撮影する撮影ステップと、
前記撮影ステップにおいて得られた映像データを外部に送信する送信ステップと、
前記撮影ステップにおいて得られた映像データのフレームレートを変化させるフレームレート制御ステップと、
前記送信ステップにおいて映像データの送信が失敗した場合、当該失敗した映像データを保存した後、外部に送信される映像データのフレームレートを制御するフレームレート制御手段により、当該失敗した映像データのフレームレートよりも低いフレームレートの映像データを送信する際に当該失敗した映像データを再送信する通信制御ステップと、
を実行させることを特徴とするプログラム。
【請求項９】
コンピュータに、
被写体を撮影する撮影ステップと、
前記撮影ステップにおいて得られた映像から被写体の動きを検知する動き検知ステップと、
前記動き検知ステップにおいて被写体の動きを検知したことを示すイベント数のばらつきが低減されるように前記動き検知ステップにおける動き検知の設定値を変更する設定ステップと、
を実行させることを特徴とするプログラム。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００１
【補正方法】変更
【補正の内容】
【０００１】
本発明は、ネットワークカメラ等を用いた映像監視に好適な撮像装置及びその制御方法に関する。
【手続補正４】
【補正対象書類名】明細書
【補正対象項目名】０００７
【補正方法】変更
【補正の内容】
【０００７】
本発明は、撮影した映像をより確実に利用することを可能にする撮像装置及びその制御方法を提案することを目的とする。
【手続補正５】
【補正対象書類名】明細書
【補正対象項目名】０００９
【補正方法】変更
【補正の内容】
【０００９】
本発明に係る第１の撮像装置は、被写体を撮影する撮影手段と、前記被写体の動きを検知する動き検知手段と、前記撮影手段によって得られた映像データを外部に送信する送信手段と、前記動き検知手段によって被写体の動きが検知された場合、前記送信手段によって送信される映像データのフレームレートを前記被写体の動きが検知されていないときよりも高くするフレームレート制御手段と、前記送信手段による映像データの送信が失敗した場合、当該失敗した映像データを保存する保存手段と、前記保存手段によって保存された映像データが予め定められた閾値以上となった場合、被写体の動き検知がされにくくなるように前記動き検知手段の設定値を変更する設定手段と、を有することを特徴とする。
【手続補正６】
【補正対象書類名】明細書
【補正対象項目名】００１０
【補正方法】変更
【補正の内容】
【００１０】
本発明に係る第２の撮像装置は、被写体を撮影する撮影手段と、前記撮影手段によって得られた映像データを外部に送信する送信手段と、前記送信手段によって送信される映像データのフレームレートを変化させるフレームレート制御手段と、前記送信手段による映像データの送信が失敗した場合、前記フレームレート制御手段によって当該失敗した映像データのフレームレートよりも低いフレームレートの映像データを送信する際に当該失敗した映像データを再送信する通信制御手段と、を有することを特徴とする。
【手続補正７】
【補正対象書類名】明細書
【補正対象項目名】００１１
【補正方法】変更
【補正の内容】
【００１１】
本発明に係る第３の撮像装置は、被写体を撮影する撮影手段と、前記撮影手段から得られた映像から被写体の動きを検知する動き検知手段と、前記動き検知手段が動きを検知したことを示すイベント数のばらつきが低減されるように前記動き検出手段の設定値を変更する設定手段と、を有することを特徴とする。